(57)【要約】【課題】  ラストペーパを給紙する際に、振動やびびり音などの異音を無くし、画像性能に悪影響を及ぼさない画像形成装置を提供する。【解決手段】  給紙トレイ４と、用紙を給紙トレイ４から給紙する給紙ローラ１と、給紙トレイ４に収容された用紙をこの用紙上面が給紙ローラ１に接触するまで持ち上げる押上板５と、押上板５上の用紙の有無を検出する用紙有無検出センサ１０と、押上板５を給紙方向に移動可能に支持する支持手段（４ａ、５ｂ）と、押上板５を反給紙方向に付勢する付勢バネ９と、押上板５の給紙ローラ１と接触する位置に設けられた摩擦板７と、を備え、押上板５上に用紙が無くなったことを検出後、給紙ローラ１と押上板５上の摩擦板７が当接した状態で給紙ローラ１を回転させて押上板５を給紙方向に移動させるように給紙ローラ１の回転を制御する。【選択図】    図６
2011225329.tif 000002
【特許請求の範囲】
【請求項１】
用紙が収容されるトレイと、
用紙を前記トレイから給紙する給紙ローラと、
このトレイに収容された用紙をこの用紙上面が前記給紙ローラに接触するまで持ち上げる押上板と、
この押上板上の用紙の有無を検出する検出手段と、
前記押上板を給紙方向に移動可能に支持する支持手段と、
前記押上板を反給紙方向に付勢する付勢手段と、
前記押上板の給紙ローラと接触する位置に設けられた摩擦板と、
前記検出手段の出力により押上板上に用紙が無くなったことを検出後、前記給紙ローラと前記押上板上の前記摩擦板が当接した状態で前記給紙ローラを回転させて前記押上板を給紙方向に移動させるように前記給紙ローラの回転を制御する制御手段と、を備えたことを特徴とする画像形成装置。
【請求項２】
請求項１に記載の画像形成装置において、
前記支持手段は、前記押上部材に設けられた長穴を有する支持板と、前記トレイに設けられ前記長穴に嵌り込む支軸とを備えることを特徴とする画像形成装置。
【請求項３】
請求項１または請求項２に記載の画像形成装置において、
前記摩擦板は、摩擦係数が異なる複数の部材で構成され、給紙方向の上流側に位置する部材の摩擦係数が下流側に位置する部材の摩擦係数より小さいもので形成され、前記押上板が給紙方向へ移動したときの負荷を低減することを特徴とする画像形成装置。
【請求項４】
請求項１から請求項３のいずれか１項に記載の画像形成装置において、
前記摩擦板に清掃部材が設けられ、前記給紙ローラと摩擦部材が接触して回転して給紙ローラ表面が清掃されることを特徴とする画像形成装置。
【発明の詳細な説明】
【技術分野】
【０００１】
この発明は、複写機、プリンタ、ファクシミリ及びこれらの複合機等の画像形成装置に係り、特に、用紙を給紙ローラ側に押し上げる押上板上に用紙が無くなった後に、給紙ローラと押上板との負荷を低減し、振動による画像ノイズや異音等の発生を防止する点に特徴を有するものである。
【背景技術】
【０００２】
従来、複写機、プリンタ、ファクシミリ及びこれらの複合機等の画像形成装置に用いられる給紙装置は、用紙が収容されるトレイと、用紙をトレイから給紙する給紙ローラと、トレイに収容された用紙をこの用紙上面が給紙ローラに接触するまで押し上げる押上板と、を備えている。トレイから給紙された用紙は、給紙ローラと捌きローラとの間で１枚ずつ分離され、下流側の搬送ローラに送られる。
【０００３】
ところで、上記した押上板は、トレイ本体に対して回転可能に支持され、付勢バネなどの付勢手段により、給紙ローラ方向に付勢されている。そして、給紙ローラの駆動は、給紙される用紙後端が給紙ローラと捌きローラで作られるニップ部（以下、「捌きニップ部」という。）を通過する前に停止させている。
【０００４】
このため、押上板上に載置された最後の用紙（以下、「ラストペーパ」という。）を給紙時に給紙ローラと搬送ローラの間のループ消失後に用紙後端が捌きニップ部から引き抜かれるときの衝撃により、画像ノイズが発生していた。
【０００５】
通常、用紙搬送時は給紙ローラと下流側の搬送ローラ間にループを保持するが、用紙後端が捌きニップ部を通過する前に給紙ローラを停止することで、次用紙の重走を防止している。そのため、給紙ローラ停止後は用紙間のループが消失し、その後、用紙後端が捌きニップ部から引き抜かれる。
【０００６】
しかし、ラストペーパの給紙時においては、給紙ローラと押上板上の摩擦板とが接触するので、用紙を捌きニップ部から引き抜くときの負荷が非常に大きくなる。このため、ループ消失後に、用紙を捌きニップ部から引き抜くときに大きな衝撃が発生して転写ずれやピッチムラといった画像性能に影響を及ぼすなどの問題があった。
【０００７】
特許文献１には、ラストペーパの給紙時に給紙ローラを用紙後端通過後も回転させることが記載されている。
【先行技術文献】
【特許文献】
【０００８】
【特許文献１】特開２００３−１１２８３６号公報
【発明の概要】
【発明が解決しようとする課題】
【０００９】
上記特許文献１に記載のように、ラストペーパの用紙後端が給紙ローラを通過後も給紙ローラを回転させることで、ループを保持した状態で用紙が捌きニップ部から抜けることになり、前述した衝撃は生じない。しかし、給紙ローラと押上板の摩擦板が接触した状態で給紙ローラが回転するので、押上板の振動による画像ノイズやびびり音などの異音が発生するなどの問題があった。
【００１０】
この発明は、上記問題点を解消するためになされたものにして、ラストペーパを給紙する際に、振動やびびり音などの異音を無くし、画像性能に悪影響を及ぼさない画像形成装置を提供することを課題とするものである。
【課題を解決するための手段】
【００１１】
この発明の画像形成装置においては、上記のような課題を解決するため、用紙が収容されるトレイと、用紙を前記トレイから給紙する給紙ローラと、このトレイに収容された用紙をこの用紙上面が前記給紙ローラに接触するまで持ち上げる押上板と、この押上板上の用紙の有無を検出する検出手段と、前記押上板を給紙方向に移動可能に支持する支持手段と、前記押上板を反給紙方向に付勢する付勢手段と、前記押上板の給紙ローラと接触する位置に設けられた摩擦板と、前記検出手段の出力により押上板上に用紙が無くなったことを検出後、前記給紙ローラと前記押上板上の前記摩擦板が当接した状態で前記給紙ローラを回転させて前記押上板を給紙方向に移動させるように前記給紙ローラの回転を制御する制御手段と、を備えたことを特徴とする。
【００１２】
また、前記支持手段は、前記押上部材に設けられた長穴を有する支持板と、前記トレイに設けられ前記長穴に嵌り込む支軸とを備えて構成することができる。
【００１３】
さらに、前記摩擦板は、摩擦係数が異なる複数の部材で構成され、給紙方向の上流側に位置する部材の摩擦係数が下流側に位置する部材の摩擦係数より小さいもので形成され、前記押上板が給紙方向へ移動したときの負荷を低減するように構成することが好ましい。
【００１４】
また、前記摩擦板に清掃部材を設け、前記給紙ローラと清掃部材が接触して回転して給紙ローラ表面を清掃するように構成することができる。
【発明の効果】
【００１５】
この発明は、ラストペーパが給紙され押上板上の用紙が無くなったことを検出して、給紙ローラを用紙後端が給紙ニップ通過後まで所定時間回転させると共に、用紙後端が給紙ローラ位置を通過後、給紙ローラが押上板と接触しながら回転するときに押上板が給紙ローラにより発生する搬送力により給紙方向に移動することで、画像性能への影響及び異音を防止することができる。
【図面の簡単な説明】
【００１６】
【図１】この発明の第１の実施形態における画像形成装置の給紙部の構成を示す概略断面図である。
【図２】この発明の第１の実施形態における画像形成装置の給紙ローラの駆動時における給紙部の構成を示す概略断面図である。
【図３】この発明の第１の実施形態における画像形成装置の給紙ローラが停止した状態の給紙部の構成を示す概略断面図である。
【図４】この発明の第１の実施形態における画像形成装置のラストペーパ給紙時の概略断面図である。
【図５】この発明の第１の実施形態における画像形成装置のラストペーパ給紙時に給紙ローラの回転が開始した状態の概略断面図である。
【図６】この発明の第１の実施形態における画像形成装置のラストペーパ給紙時の押上板移動状態の概略断面図である。
【図７】この発明の第１の実施形態における画像形成装置のラストペーパ給紙時の押上板移動状態の概略断面図である。
【図８】この発明の第１の実施形態における画像形成装置のラストペーパ給紙時の捌きニップ部から用紙後端が離れた状態の概略断面図である。
【図９】この発明の第１の実施形態における画像形成装置のラストペーパ給紙時の搬送ローラからから用紙後端が離れた状態の概略断面図である。
【図１０】この発明の第１の実施形態における給紙部の駆動制御系の構成を示すブロック図である。
【図１１】この発明の第１の実施形態における給紙動作を説明するフローチャートである。
【図１２】この発明の第２の実施形態における画像形成装置の給紙部の構成を示す概略断面図である。
【図１３】この発明の第２の実施形態における画像形成装置の給紙部の構成を示す概略断面図である。
【図１４】この発明の第３の実施形態における画像形成装置の給紙部の構成を示す概略断面図である。
【発明を実施するための形態】
【００１７】
この発明の実施の形態に係る画像形成装置について図面を参照しながら詳細に説明する。なお、図中同一または相当部分には同一符号を付し、説明の重複を避けるためにその説明は繰返さない。また、この発明に係る画像形成装置は、下記の実施形態に示したものに限定されず、その要旨を変更しない範囲において適宜変更して実施できるものである。
【００１８】
この発明の第１の実施形態につき図面を参照して説明する。図１は、この発明の第１の実施形態における画像形成装置の給紙部の構成を示す概略断面図である。図１に示すように、この実施形態は、用紙Ｐが収容される給紙トレイ４と、用紙Ｐを給紙トレイ４から給紙する給紙ローラ１と、この給紙トレイ４に収容された用紙Ｐをこの用紙上面が給紙ローラ１に接触するまで持ち上げる押上板５を備える。
【００１９】
給紙トレイ４には、トレイ本体４０と一体に支軸４ａが設けられている。そして、押上板５に長穴５ｂを有する支持板５ａが設けられ、この支持板５ａの長穴５ｂに支軸４ａが嵌め込まれ、押上板５が給紙方向（図中矢印Ａ方向）に移動可能に支持される。
【００２０】
押上板５とトレイ本体４０との間に押上板４を反給紙方向（図中矢印Ｂ方向）に付勢する付勢バネ９が設けられ、通常時は付勢バネ９により押上板５を反給紙方向に付勢し、押上板５を給紙位置に保持している。
【００２１】
なお、給紙トレイ４のトレイ本体４０に長穴を有する支持板を設け、押上板５に支軸を設け、トレイ本体４０の長穴に押上板５の支軸を嵌め込み、押上板５を給紙方向に移動可能に支持するように構成しても良い。
【００２２】
さらに、押上板５は給紙方向に移動可能に支持されれば良く、上記の長穴５ｂと支軸４ａの構成に限らず、カム溝とこの溝と係合するカムフォロワーで構成するなど種々の支持機構が適用できる。
【００２３】
そして、上記トレイ本体４０と押上板５の底側の間には付勢バネ６が設けられ、この付勢バネ６により押上板５が給紙ローラ１方向に付勢される。押上板５は支軸４ａを中心として回転し、押上板５の上に載置された用紙Ｐの上面を給紙ローラ１に押しつける。給紙ローラ１と当接する位置の押上板５上には摩擦板７が設けられている。
【００２４】
給紙ローラ１には付勢バネ３により付勢力を与えられた捌きローラ２が当接し、給紙された用紙Ｐを１枚ずつ分離して、搬送ローラ８へ送る。捌きローラ２は、トルクリミッタが取り付けられており、一定以上の負荷を受けたときには回転可能な構成になっている。１枚ずつ分離された用紙Ｐは給紙ローラ１により搬送ローラ８まで搬送され、給紙ローラ１と搬送ローラ８の間にループを保持しながら用紙Ｐが搬送される。
【００２５】
この実施形態において、重送されてきた用紙Ｐを１枚ずつ分離給紙する分離特性を決定する摩擦係数は、給紙ローラ１と用紙Ｐ間がμ１であり、用紙Ｐと捌きローラ２間がμ２であり、用紙Ｐ同士間がμ３であるとすると、μ１＞μ２＞μ３となる関係になるように設定されている。
【００２６】
また、給紙トレイ４の上部には、フォトセンサ等で構成された用紙有無検出センサ１０が設けられ、押上板４上に用紙が載置されているか否かを検出する。そして、この用紙有無検出センサ１０の出力により、ラストペーパＰＬが給紙されたか否かが判断される。
【００２７】
また、搬送ローラ８の下流側には、搬送ローラ８から送り出された用紙後端を検出する用紙端部検出センサ１１が設けられている。
【００２８】
なお、図において、Ｎ１は、給紙ローラ１と捌きローラ２で作られるニップ部である捌きニップ部、Ｎ２は給紙ローラ１と用紙Ｐとの間で作られる給紙ニップ部である。
【００２９】
図２は、この発明の第１の実施形態における画像形成装置の給紙ローラの駆動時における給紙部の構成を示す概略断面図である。駆動モータ（図示せず）からの駆動力を受けて給紙ローラ１は回転し、押上板５上に載置された用紙束の最上位の用紙Ｐが繰り出される。繰り出された用紙Ｐは、給紙ローラ１と捌きローラ２により、１枚ずつ分離される。１枚ずつ分離された用紙Ｐは給紙ローラ１により、搬送ローラ８まで搬送され、給紙ローラ１と搬送ローラ８の間にループを保持しながら用紙Ｐが搬送される。
【００３０】
図３は、この発明の第１の実施形態における画像形成装置の給紙ローラが停止した状態の給紙部の構成を示す概略断面図である。給紙ローラ１は用紙後端が給紙ニップ位置Ｎ２を通過する前に回転を停止し、搬送ローラ８のみで用紙Ｐを搬送する。その時には、給紙ローラ１と搬送ローラ８の間の用紙Ｐのループは徐々に減少し消失する。給紙ローラ１にはワンウェイクラッチが取り付けられており、搬送ローラ８への負荷を軽減する構成になっている。
【００３１】
ループ消失後から用紙後端が捌きニップ部Ｎ１を抜けるまでの負荷は、捌きニップ部Ｎ１における捌きローラ２のトルクリミッタによる負荷と、給紙ニップ部Ｎ２における給紙ローラ１と用紙Ｐとの摩擦力による負荷を合わせたものになる。搬送されている用紙Ｐの下に次用紙がある場合には、給紙ニップＮ２での負荷は小さく画像に影響を与えるような衝撃は発生しない。
【００３２】
次に、ラストペーパ給紙時の動作につき、図４ないし図９を参照して説明する。
【００３３】
図４に示すように、ラストペーパＰＬの給紙時は、用紙有無検出センサ１０の出力により、押上板５の表面を検出することで、ラストペーパＰＬが給紙されたことを検出できる。用紙有無検出センサ１０の検出位置から給紙ニップ部Ｎ２にラストペーパＰＬの用紙後端が送られる。
【００３４】
図５は、ラストペーパＰＬの用紙後端が押上板５に設けられた摩擦板７を越えた状態を示している。ラストペーパＰＬの用紙後端が摩擦板７を越えると、給紙ローラ１と摩擦板7とが接触する。この状態においては、給紙ローラ1を停止した状態では、給紙ニップ部Ｎ２においては、給紙ローラ１と摩擦板７との摩擦力が大きな負荷となるため、ループ消失後に用紙後端が捌きニップ部Ｎ１を抜けるときの衝撃により、ピッチムラ等の画像への影響が発生する。
【００３５】
そこで、この発明では、ラストペーパＰＬであることを用紙有無検出センサ１０の出力にて判断すると、給紙ローラ１の回転を開始させ、用紙後端が少なくとも捌きニップ部Ｎ１を通過するまで給紙ローラ１の回転を継続させるように制御する。このように、給紙ローラ１の回転を制御することで、ループを保持した状態で用紙後端が捌きニップ部Ｎ１を抜けるために前述した衝撃の発生が無く、安定した画像を得ることができる。
【００３６】
捌きニップ部Ｎ１を抜けるまで給紙ローラ１を回転させることで衝撃を回避できるが、押上板５が給紙方向に対して移動しない場合には、給紙ローラ１と摩擦板７が接触したまま給紙ローラ１が回転することで押上板５が振動する。この押上板５の振動により、画像ノイズやびびり音が発生する。
【００３７】
そこで、この発明では、押上板５は、給紙方向に移動可能に構成している。この実施形態では、トレイ本体部４０に設けた支軸４ａに支持部５ａの長穴５ｂが嵌め込まれている。このため、図６に示すように押上板５は、給紙ローラ１と摩擦板７と接触した時の搬送力により、長穴５ｂに沿って給紙方向（図中矢印Ａ方向）に移動する。この押上板５の移動により、給紙ニップ部Ｎ２での振動を防止することができる。そして、図７に示すように、ラストペーパＰＬの用紙後端が捌きニップＮ１を越えるまで給紙ローラ１は回転し、図８に示すように、ラストペーパＰＬの用紙後端が捌きニップ部Ｎ１を越えると給紙ローラ１の回転は停止する。この状態では、搬送ローラ８には、余分な負荷はかからず、ラストペーパＰＬに振動等は発生せず、画像ムラ等の発生は起こらない。
【００３８】
そして、図９に示すように、ラストペーパＰＬの用紙後端を用紙端部検出センサ１１が検出すると、図示しない駆動モータが停止し、搬送ローラ８の駆動が停止される。
【００３９】
また、用紙セット時は、押上板５を下げることで、付勢バネ９により押上板５が長穴５ｂに従い移動し、反給紙方向位置に保持され、用紙セットを問題なく行うことができるように構成されている。
【００４０】
次に、この発明の第１の実施形態にかかる画像形成装置の用紙搬送の駆動制御の一例につき図１０及び図１１を参照して説明する。図１０は、この発明の第１の実施形態における給紙部の駆動制御系の構成を示すブロック図、図１１は、この第１の実施形態における給紙動作を説明するフローチャートである。
【００４１】
図１０に示すように、用紙有無検出センサ１０、用紙端部検出センサ１１などの検出信号が制御部１００に与えられる。制御部１００は、ＣＰＵ１００ａと各部を制御するためのプログラムなどを記憶した記憶部１００ｂなどを有し、与えられた検出信号に基づき各部を制御する。
【００４２】
給紙ローラ１、搬送ローラ８等を駆動する駆動モータ１０１は、制御部１００によりその駆動が制御される。駆動モータ１０１からの駆動力は駆動力伝達機構１０２を介して給紙ローラ１と搬送ローラ８に駆動力を伝達する。給紙ローラ１と駆動力伝達機構１０３との間には電磁クラッチ１０３が設けられている。制御部１００は、電磁クラッチ１０３のオン／オフを制御し、給紙ローラ１への駆動力の伝達を制御する。
【００４３】
上記構成の第１の実施形態における給紙動作を説明する。給紙が開始されると給紙トレイ４に載置されている用紙Ｐが押上板５の上昇によって給紙ローラ１に押圧され、給紙ローラ１の回転により用紙Ｐが、給紙ローラ１と捌きローラ２との捌きニップＮ１へ送られて、捌きニップ部Ｎ１により捌かれて給紙方向の下流側へ搬送される。ここで、給紙ローラ１と捌きローラ２との捌きニップ部Ｎ１に用紙Ｐが重送された場合、捌きニップ部Ｎ１において重送された用紙Ｐが挟持された状態になって、最上位の用紙Ｐに対して次位の用紙Ｐが捌きローラ２に係止され、給紙ローラ１の搬送力を受ける最上位の用紙Ｐのみが給紙されるため、最上位の用紙Ｐと次位の用紙Ｐとが分離されて給紙されることになる。
【００４４】
次に、第１の実施形態における給紙ローラ１の駆動制御について説明する。給紙開始時、給紙トレイ４が所定位置にセットされており、かつ給紙トレイ４に用紙Ｐが載置されていれば、用紙有無検出センサ１０の紙有り検知信号を受けて制御部１００は、駆動モータ１０１を始動させ、電磁クラッチ１０３をオンにさせて給紙ローラ１を回転させる。付勢バネ６の付勢力を受けて給紙トレイ４内の押上板５によって給紙ローラ１に押圧されている用紙Ｐは、給紙ローラ１と捌きローラ２との捌きニップ部Ｎ１へ送られる。そして、この捌きニップ部Ｎ１において用紙Ｐは１枚ずつ分離されて給紙され、１枚の用紙Ｐが搬送ローラ８へ送られる。
【００４５】
次に、この第１の実施形態のラストペーパＰＬを給紙する動作につき、図１１を参照して説明する。
【００４６】
制御部１００は、ラストペーパＰＬの給紙を検出するために、用紙有無検出センサ１０の出力に基づき押上板５を検知したか否か判断する（ステップＳ１）。押上板５を検知しない場合には、ステップＳ８に進み、ラストペーパＰＬの用紙後端を検出するまで、給紙ローラ１の回転を停止し、搬送ローラ８による給紙動作を継続する。
【００４７】
制御部１００は、用紙有無検出センサ１０の出力に基づき押上板５を検知することで、ラストペーパＰＬの給紙が行われ、その用紙後端が給紙ローラ１に向かって搬送されることを検出する。
【００４８】
この第１の実施形態では、ラストペーパＰＬの用紙後端を検出すると制御部１００は給紙ローラ１を回転させるために、電磁クラッチ１０３をオンして給紙ローラ１を回転させ、ラストペーパＰＬの用紙後端が捌きニップ部Ｎ１を越えるまでの時間、給紙ローラ１の回転を継続する（ステップＳ２、Ｓ３）。この給紙ローラ１の回転により、ループを保持した状態で用紙後端が捌きニップＮ１を抜けるために衝撃の発生が無く、安定した画像を得ることができる。
【００４９】
そして、ラストペーパＰＬの用紙後端が押上板５から離れると、給紙ローラ１と摩擦板７が接触する。この状態で給紙ローラ１が回転すると、押上板５は、給紙ローラ１と摩擦板７と接触した時の搬送力により、長穴５ｂに沿って給紙方向（図中矢印Ａ方向）に移動し、給紙ニップ部Ｎ２での振動を防止している。
【００５０】
所定時間が経過、すなわち、ラストペーパＰＬの用紙後端が捌きニップ部Ｎ１を越える時間が経過すると、制御部１００は、電磁クラッチ１０３をオフにし、給紙ローラ１の回転を停止させる（ステップＳ４）。
【００５１】
制御部１００は用紙端部検出センサ１１の出力に基づきラストペーパＰＬの用紙後端を検出したか否か判断し（ステップＳ５）、ラストペーパＰＬの用紙後端を検出するまで、駆動モータ１０１の駆動を継続し、搬送ローラ８の回転を継続させる（ステップＳ７）。用紙端部検出センサ１１がラストペーパＰＬの用紙後端を検出すると、制御部１００は駆動モータ１０１を停止して給紙動作を終了する（ステップＳ６）。
【００５２】
次に、この発明の第２の実施形態を図１２及び図１３に従い説明する。この第２の実施形態は、摩擦板７を複数の摩擦部材、この実施形態では、２つの摩擦部材７ａ、７ｂで構成し、給紙方向の上流側に位置する摩擦部材７ｂの摩擦係数が下流側に位置する摩擦部材７ａの摩擦係数より小さいもので形成する。例えば、摩擦部材７ｂの摩擦係数は、給紙される用紙と同程度にする。
【００５３】
このように構成することで、給紙時は、摩擦係数の高い摩擦部材７ａが給紙ローラ１に対向して配置され、ラストペーパＰＬの捌きニップＮ１の突入を防止する。
【００５４】
ラストペーパＰＬの用紙後端が給紙ニップＮ２を抜けて給紙ローラ１と高い摩擦係数の摩擦部材７ａが接触すると、給紙ローラ１による搬送力で押上板１が給紙方向に移動し、図１３に示すように、給紙ローラ１と摩擦係数の低い摩擦部材７ｂが接触することになる。このように構成することで、押上板５が給紙方向へ移動したときの負荷を低減することができる。
【００５５】
この状態で仮に給紙ローラ１が回転し、摩擦板７との間でスリップしたとしても、摩擦係数の低い摩擦部材７ｂと給紙ローラ１が当接するので、搬送力は小さい。このため振動の発生が抑制される。
【００５６】
次に、この発明の第３の実施形態を図１４に従い説明する。この第３の実施形態は、摩擦部材７ｂの代わりに、ブラシ等の清掃部材７ｂ’を配置し、給紙ローラ１を回転摺接させるように構成している。このように構成することで、ラストペーパＰＬの給紙後に給紙ローラ１表面の紙粉等の汚れを清掃部材７ｂ’で除去し、安定した給紙性能を維持することができる。
【符号の説明】
【００５７】
１  給紙ローラ
２  捌きローラ
３  付勢バネ
４  給紙トレイ
４ａ  支軸
４０  トレイ本体
５  押上板
５ａ  支持板
５ｂ  長穴
６  付勢バネ
７  摩擦板
８  搬送ローラ
９  付勢バネ
１０  用紙有無検出センサ
１１  用紙端部検出センサ
Ｐ  用紙
ＰＬ  ラストペーパ
【図１】
2011225329.tif 000003
【図２】
2011225329.tif 000004
【図３】
2011225329.tif 000005
【図４】
2011225329.tif 000006
【図５】
2011225329.tif 000007
【図６】
2011225329.tif 000008
【図７】
2011225329.tif 000009
【図８】
2011225329.tif 000010
【図９】
2011225329.tif 000011
【図１０】
2011225329.tif 000012
【図１１】
2011225329.tif 000013
【図１２】
2011225329.tif 000014
【図１３】
2011225329.tif 000015
【図１４】
2011225329.tif 000016